(57)【特許請求の範囲】
【請求項１】
プリント配線が形成されたプリント基板と、前記プリント配線と電気的に接続され、金属板からなる筐体内に電気回路が収納されてなるチューナと、該チューナと電気的に接続され、前記プリント配線に電気的に接続された端子を有するコネクタと、該コネクタが取り付けられた金属板からなる取付部材と、前記端子及び前記端子と前記チューナとの間に位置している前記プリント配線を覆うように配置されたブラケットとを備えたことを特徴とするコンピュータ用チューナボード。
【請求項２】
前記取付部材と前記ブラケットとが一枚の金属板で一体に形成されてなることを特徴とする請求項１に記載のコンピュータ用チューナボード。
【請求項３】
前記筐体と前記ブラケットとが重ね合わされた部分が半田付けされてなることを特徴とする請求項１又は請求項２に記載のコンピュータ用チューナボード。
【請求項４】
プリント配線が形成されたプリント基板上に、金属板からなる筐体内に電気回路が収納されたチューナを載置し、該チューナと前記プリント配線と電気的に接続する工程と、
端子を有するコネクタが取り付けられ、一枚の金属板でブラケットが一体に形成された金属板からなる取付部材を前記プリント基板上に載置して、前記端子と前記プリント配線とを電気的に接続するとともに、前記取付部材が前記端子及び前記端子と前記チューナとの間に位置する前記プリント配線を覆うように前記プリント基板上に取り付ける工程とを有することを特徴とするコンピュータ用チューナボードの製造方法。
【請求項５】
前記取付部材を前記プリント基板上に取り付ける工程の後に、前記チューナの筐体と前記ブラケットとを半田付けして電気的に接続する工程を有することを特徴とする請求項４に記載のコンピュータ用チューナボードの製造方法。
【発明の詳細な説明】
【０００１】
【発明の属する技術分野】
本発明は、コンピュータ用チューナボード及びその製造方法に関する。
【０００２】
【従来の技術】
図５は従来のコンピュータ用チューナボードの主要部の斜視図、図６は、従来のコンピュータ用チューナボードの主要部の分解斜視図である。
コンピュータ用チューナボードは、パーソナル・コンピュータ等に搭載されて、外部のアンテナから入力されたテレビジョン放送の高周波電波信号の中から希望信号だけを同調器などにより選択受信するとともに、規定の中間周波数に雑音少なく変換して、ディスプレイ等の表示装置に伝送するために用いられるインターフェースボードである。
プリント基板１１には、その表面に所定のプリント配線１２が形成され、また、プリント基板１１には、取付孔１１ａと、プリント配線１２の端部に位置した端子孔１１ｂがプリント基板１１を貫通して設けられている。
チューナ１３は、金属板からなる箱形の筐体１３ａを有し、その筐体１３ａ内部には所定の電気回路が収納されて構成されている。
そして、このチューナ１３は筐体１３ａをプリント基板１１上に載置した後、半田付けにてチューナ１３がプリント配線１２に接続されている。
【０００３】
半田付け可能な金属板からなるコの字状の２個の取付部材１４は、それぞれ２つの平行に配置された側壁１４ａと、この２つの側壁１４ａを連結している連結壁１４ｂにより構成され、側壁１４ａには複数の取付脚１４ｃが延出して設けられている。
コネクタ１５は、金属からなる外部導体１５ａと、その内部に充填された絶縁樹脂１５ｂと、絶縁樹脂１５ｂの中心部に埋設され、Ｌ字状の端子１５ｃを有する中心導体となるコンタクト部１５ｄとで構成されている。
そして、このようなコネクタ１５は、それぞれ２個の取付部材１４の連結壁１４ｂに適宜方法で取り付けられ、Ｌ字状の端子１５ｃが取付部材１４により側方の三方が取り囲まれた状態となっている。
【０００４】
このように、コネクタ１５と一体化された取付部材１４は、側壁１４ａに延出して設けられた複数の取付脚１４ｃが取付孔１１ａに挿入され、半田（図示せず）により半田付けされて、プリント基板１１上に固定されている。
また、上記半田付け時と同時に、コネクタ１５のＬ字状の端子１５ｃは、その一端が端子孔１１ｂに挿入され、端子１５ｃのプリント基板１１の裏面に突出した部分が半田１６により半田付けされて、プリント基板１１に固定されるとともに、半田１６の一部がプリント配線１２が形成されている側へ流出されて、プリント配線１２と端子１５ｃとが電気的に接続されている。
【０００５】
【発明が解決しようとする課題】
しかしながら、上記従来のコンピュータ用チューナボードには以下の問題点が存在する。前記のように端子１５ｃ及びプリント配線１２の側方の一部や上方は開放された状態であるため、いわば電気的にシールドされていない状態となり、露出された端子１５ｃやプリント配線１２に、テレビジョン放送の電波信号以外の各種電磁波が直に飛び込む。これら各種電磁波は、チューナ１３への入力信号であるアンテナで受信されたテレビジョン放送の電波信号にとって雑音となるため、チューナ１３で変換され、ディスプレイ等の表示装置へ出力される信号に悪影響を与える。
【０００６】
また、前記のようにコネクタ１５と一体化している取付部材１４のプリント基板１１への固定は、前記のように側壁１４ａから延出した取付脚１４ｃを取付孔１１ａに挿入して半田付けする方法に依っているため、コンピュータ用チューナボードの使用時においてコネクタ１５に嵌合するプラグをねじ込んだり、コネクタ１５に何らかの力が加えられたりすると、コネクタ１５とともに取付部材１４がプリント基板１１から外れる恐れがある。
【０００７】
本発明が解決しようとする課題は、テレビジョン放送の電波信号以外の不要な電磁波の受信を防止して良好なテレビジョン放送を受像することができるコンピュータ用チューナボード及びその製造方法を提供することである。併せて、コネクタの取付部材の取付強度を向上させることができるコンピュータ用チューナボード及びその製造方法を提供することである。
【０００８】
【課題を解決するための手段】
前記課題を解決するための第１の解決手段として、本発明のコンピュータ用チューナボードは、プリント配線が形成されたプリント基板と、前記プリント配線と電気的に接続され、金属板からなる筐体内に電気回路が収納されてなるチューナと、該チューナと電気的に接続され、前記プリント配線に電気的に接続された端子を有するコネクタと、該コネクタが取り付けられた金属板からなる取付部材と、前記端子及び前記端子と前記チューナとの間に位置している前記プリント配線を覆うように配置されたブラケットとを備えた構成とした。
【０００９】
また、第２の解決手段として、本発明のコンピュータ用チューナボードは、前記取付部材と前記ブラケットとが一枚の金属板で一体に形成されてなる構成とした。
【００１０】
また、第３の解決手段として、本発明のコンピュータ用チューナボードは、前記筐体と前記ブラケットとが重ね合わされた部分が半田付けされてなる構成とした。
【００１１】
また、第４の解決手段として、本発明のコンピュータ用チューナボードの製造方法は、プリント配線が形成されたプリント基板上に、金属板からなる筐体内に電気回路が収納されたチューナを載置し、該チューナと前記プリント配線と電気的に接続する工程と、
端子を有するコネクタが取り付けられ、一枚の金属板でブラケットが一体に形成された金属板からなる取付部材を前記プリント基板上に載置して、前記端子と前記プリント配線とを電気的に接続するとともに、前記取付部材が前記端子及び前記端子と前記チューナとの間に位置する前記プリント配線を覆うように前記プリント基板上に取り付ける工程とを有する構成とした。
【００１２】
また、第５の解決手段として、本発明のコンピュータ用チューナボードの製造方法は、前記取付部材を前記プリント基板上に取り付ける工程の後に、前記チューナの筐体と前記ブラケットとを半田付けして電気的に接続する工程を有する構成とした。
【００１３】
【発明の実施の形態】
以下に、本発明のコンピュータ用チューナボード及びその製造方法の実施の形態について説明する。図１は、本発明のコンピュータ用チューナボードの主要部の斜視図、図２は、本発明のコンピュータ用チューナボードの主要部の分解斜視図、図３は、本発明のコンピュータ用チューナボードの主要部の断面図である。
プリント基板１には、その表面に所定のプリント配線２が形成され、また、プリント基板１には、取付孔１ａと、プリント配線２の端部に位置した端子孔１ｂがプリント基板１を貫通して設けられている。
チューナ３は、金属板からなる箱形の筐体３ａを有し、その筐体３ａは４つの側面３ｂと上面３ｃ及び下面（図示せず）とからなり、筐体３ａ内には所定の電気回路が収納されて構成されている。
そして、このチューナ３は筐体３ａをプリント基板１上に載置した後、半田付けにてチューナ３がプリント配線２に接続されている。
【００１４】
半田付け可能な一枚の金属板からなる取付部材４は、２つの平行に配置された側壁４ａと、この２つの側壁４ａを連結し、断面コの字状に形成する前壁４ｂと、側壁４ａ及び前壁４ｂで取り囲まれた領域の上面を覆う上壁４ｃと、側壁４ａに延出して設けられた複数の取付脚４ｄとにより構成されている。
即ち、取付部材４は取付部とブラケットとが一枚の金属板で構成され、そして、取付部は側壁４ａと前壁４ｂで形成され、また、ブラケットは側壁４ａと上壁４ｃとで形成されている。
２個のコネクタ５は、金属からなる外部導体５ａと、その内部に充填された絶縁樹脂５ｂと、絶縁樹脂５ｂの中心部に埋設され、Ｌ字状の端子５ｃを有する中心導体となるコンタクト部５ｄとで構成されている。
そして、このような２個のコネクタ５は、取付部材４の前壁４ｂに適宜方法で取り付けられ、Ｌ字状の端子５ｃが取付部材４により上方を含めて四方が取り囲まれた状態となっている。
【００１５】
このように、コネクタ５と一体化された取付部材４は、側壁４ａに延出して設けられた複数の取付脚４ｄが取付孔１ａに挿入され、半田６ａにより半田付けされて、プリント基板１上に固定されている。
また、上記半田付け時と同時に、コネクタ５のＬ字状の端子５ｃは、その一端が端子孔１ｂに挿入され、端子５ｃのプリント基板１の裏面に突出した部分が半田６ｂにより半田付けされて、プリント基板１に固定されるとともに、半田６ｂの一部がプリント配線２が形成されている側へ流出されて、プリント配線２と端子５ｃとが電気的に接続されている。
【００１６】
そして、取付部材４の２つの側壁４ａ及び上壁４ｃの一部は、それぞれチューナ３の筐体３ａの側面３ｂ及び上面３ｃと接触し、重ね合わされるように配設され、チューナ３の上面と取付部材４の上壁４ｃの端部付近とが、半田６ｃによって半田付けされてなる。
このようにして、端子５ｃ及びチューナ３及び取付部材４の間に位置するプリント配線２は、取付部材４とチューナ３の筐体により覆い囲まれている。
【００１７】
そして、このようなコンピュータ用チューナボードの製造方法は、まず、プリント配線２を形成したプリント基板１上に、チューナ３を載置して、プリント配線２とチューナ３の電気回路とを半田付けにて電気的に接続するとともに、チューナ３をプリント基板１に取り付ける。
次に、２個のコネクタ５を取り付けた取付部材４の取付脚４ｄを、プリント基板１に穿設された取付孔１ａに挿入するとともに、コネクタ５の端子５ｃを、プリント配線２に穿設された端子孔１ｂに挿入した後、次に、プリント基板１の裏面からリフロー等による半田付けによって半田６ａにより取付脚４ｄをプリント基板１に固定するとともに、半田６ｂにより端子５ｃをプリント基板１の表面に設けられたプリント配線２とを接続させる。
この時、取付部材４の２つの側壁４ａ及び上壁４ｃの一部は、それぞれチューナ３の筐体の側面３ｂ及び上面３ｃと接触して、重ね合わされるように配設されており、最後に、チューナ３の上面３ｃと、重ね合わされている取付部材４の上壁４ｃの端部付近とを、半田６ｃによって半田付けすることによって製造されるものである。
【００１８】
また、図４は本発明のコンピュータ用チューナボードの主要部の他の実施の形態の分解斜視図を示すものであり、前記実施の形態は１個の取付部材４を用いたものであるが、本実施の形態では取付部材７とブラケット８との２個の部品で構成したものである。
半田付け可能な金属板からなる取付部材７は、２つの平行に配置された側壁７ａと、この２つの側壁７ａを連結し、断面コの字状に形成する前壁７ｂと、側壁７ａに延出して設けられた複数の取付脚７ｃとにより構成されている。
また、半田付け可能な一枚の金属板からなるブラケット８は、２つの平行に配置された側壁８ａと、この２つの側壁８ａの上部を連結する上壁８ｂと、側壁８ａに延出して設けられた複数の取付脚８ｃとにより構成されている。
【００１９】
２個のコネクタ５は、金属からなる外部導体５ａと、その内部に充填された絶縁樹脂５ｂと、絶縁樹脂５ｂの中心部に埋設され、Ｌ字状の端子５ｃを有する中心導体となるコンタクト部５ｄとで構成されている。
そして、このような２個のコネクタ５は、取付部材７の前壁７ｂに適宜方法で取り付けられ、Ｌ字状の端子５ｃが取付部材７により側方の三方が取り囲まれた状態となっている。
このように、コネクタ５と一体化された取付部材７は、側壁７ａに延出して設けられた複数の取付脚７ｃが取付孔１ａに挿入され、半田６ａにより半田付けされて、プリント基板１上に固定されている。
また、上記半田付け時と同時に、コネクタ５のＬ字状の端子５ｃは、その一端が端子孔１ｂに挿入され、端子５ｃのプリント基板１の裏面に突出した部分が半田６ｂにより半田付けされて、プリント基板１に固定されるとともに、半田６ｂの一部がプリント配線２が形成されている側へ流出されて、プリント配線２と端子５ｃとが電気的に接続されている。
【００２０】
また、ブラケット８は、側壁８ａに延出して設けられた複数の取付脚７ｃが取付孔１ａに挿入され、半田６ａにより半田付けされて、プリント基板１上に固定されている。
この際、２つの側壁８ａが取付部材７の側壁７ａ及びチューナ３の筐体３ａの側面３ｂに接触し、また、上壁８ｂの一部が取付部材７の前壁７ｂの上端部及びチューナ３の筐体３ａの上面３ｃに接触して、重ね合わされるように配設されている。
さらに、このチューナ３の筐体３ａの上面３ｃと、上面３ｃに重ね合わされているブラケット８の上壁８ｂの端部付近とが、半田６ｃによって半田付けされてなる。
このように、チューナ３及び取付部材７の間に位置する、端子５ｃ、及び端子５ｃとチューナ３とを電気的に接続しているプリント配線２は、ブラケット８と取付部材７、チューナ３の筐体で覆い囲まれている。
その他の構成は前記実施の形態と同様であり、ここでは同一部品に同一番号を付し、その説明は省略する。
【００２１】
【発明の効果】
本発明は以上のように構成されているため、以下に記すような優れた効果を奏する。端子５ｃ及びプリント配線２が、取付部材４及びチューナ３の筐体の一部の面により覆い囲われている構造となっているため、電気的シールド効果が高くなり、外部からテレビジョン放送の電波信号以外の雑音となりうる各種電磁波が直に飛び込むのを防止でき、雑音の少ない信号をディスプレイ等の表示装置へ出力することができる。
【００２２】
また、取付部材４とチューナ３の筐体とが半田６ｃにより半田付けされるため、取付部材４が接地されて、取付部材４による各種電磁波が端子５ｃやプリント配線２に直に飛び込むのを防ぐ電気的シールド効果が高まり、コンピュータ用チューナボードとしての性能が向上する。
【００２３】
また、コネクタ５と一体化されている取付部材４がチューナ３の筐体に半田付けされるため、取付部材４の取付脚４ｄをプリント基板１に半田付けする固定と併せて、取付部材４のプリント基板１への取付が確実になり、取付強度がより高くなる。
【図面の簡単な説明】
【図１】本発明のコンピュータ用チューナボードの主要部の斜視図である。
【図２】本発明のコンピュータ用チューナボードの主要部の分解斜視図である。
【図３】本発明のコンピュータ用チューナボードの主要部の断面図である。
【図４】本発明のコンピュータ用チューナボードの主要部の他の実施の形態の分解斜視図である。
【図５】従来のコンピュータ用チューナボードの主要部の斜視図である。
【図６】従来のコンピュータ用チューナボードの主要部の分解斜視図である。
【符号の説明】
１  プリント基板
１ａ  取付孔
１ｂ  端子孔
２  プリント配線
３  チューナ
３ａ  筐体
３ｂ  側面
３ｃ  上面
４  取付部材
４ａ  側壁
４ｂ  前壁
４ｃ  上壁
４ｄ  取付脚
５  コネクタ
５ａ  外部導体
５ｂ  絶縁樹脂
５ｃ  端子
５ｄ  コンタクト部
６ａ、６ｂ、６ｃ  半田
７  取付部材
７ａ  側壁
７ｂ  前壁
７ｃ  取付脚
８  ブラケット
８ａ  側壁
８ｂ  上壁
８ｃ  取付脚
【図１】
0003558852.tif 000002
【図２】
0003558852.tif 000003
【図３】
0003558852.tif 000004
【図４】
0003558852.tif 000005
【図５】
0003558852.tif 000006
【図６】
0003558852.tif 000007